(57)【要約】  内視鏡を含む内視鏡システムは、内視鏡から取得する第１の情報と、内視鏡から取得する第２の情報の記録条件に関する情報との対応関係を含むテーブルが記録される第１の記録媒体と、内視鏡から取得した第１の情報と第１の記録媒体に記録されているテーブルとに基づいて、当該第１の情報に対応する記録条件に従って、内視鏡から取得する第２の情報の記録を制御する制御部と、第１の情報及び第２の情報が記録される第２の記録媒体とを備える。
2016017493.tif 000002
【特許請求の範囲】
【請求項１】
内視鏡を含む内視鏡システムであって、
前記内視鏡から取得する第１の情報と、前記内視鏡から取得する第２の情報の記録条件に関する情報との対応関係を含むテーブルが記録される第１の記録媒体と、
前記内視鏡から取得した前記第１の情報と前記第１の記録媒体に記録されている前記テーブルとに基づいて、当該第１の情報に対応する記録条件に従って、前記内視鏡から取得する前記第２の情報の記録を制御する制御部と、
前記第１の情報及び前記第２の情報が記録される第２の記録媒体と、
を備えることを特徴とする内視鏡システム。
【請求項２】
前記第２の情報は、前記内視鏡により取得される内視鏡動画像を含む、
ことを特徴とする請求項１記載の内視鏡システム。
【請求項３】
前記第２の情報は、前記内視鏡により取得される当該内視鏡内部の電流値及び温度の一方又は両方に関する情報を含む、
ことを特徴とする請求項１又は２記載の内視鏡システム。
【請求項４】
前記第１の情報は、前記内視鏡の合計稼動時間又は修理回数に関する情報を含む、
ことを特徴とする請求項１乃至３の何れか一項に記載の内視鏡システム。
【請求項５】
前記修理回数に関する情報を前記内視鏡から無線により取得する、
ことを特徴とする請求項４記載の内視鏡システム。
【請求項６】
前記第１の記録媒体に記録されている前記テーブルを変更する変更部、
を更に備えることを特徴とする請求項１乃至５の何れか一項に記載の内視鏡システム。
【請求項７】
前記第１の記録媒体に記録される前記テーブルは、内視鏡の識別情報との対応関係を更に含み、
前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に従って、当該内視鏡から取得する前記第２の情報の記録を制御する、
ことを特徴とする請求項１乃至６の何れか一項に記載の内視鏡システム。
【請求項８】
前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に関する情報が前記テーブルに含まれている場合に限り、当該識別情報及び当該第１の情報に対応する記録条件に従って、当該内視鏡から取得する前記第２の情報の記録を制御する、
ことを特徴とする請求項７記載の内視鏡システム。
【請求項９】
前記テーブルに含まれる前記識別情報は、修理回数が所定回数以上の内視鏡の識別情報である、
ことを特徴とする請求項８記載の内視鏡システム。
【発明の詳細な説明】
【技術分野】
【０００１】
本発明は、内視鏡を含む内視鏡システムに関する。
【背景技術】
【０００２】
従来、被写体を撮像する内視鏡（スコープ）と、内視鏡により得られる画像を処理して記録等を行う画像処理装置とを含む内視鏡システムがある。
例えば、内視鏡が接続された画像記録装置であって、当該装置に含まれる赤色検出部の検出結果に基づいて内視鏡画像の記録を自動的に開始又は終了する等の動作を行うものがある（特許文献１参照）。また、例えば、スコープと画像信号処理ユニットとを含む電子内視鏡システムであって、録画開始後に、スコープと画像信号処理ユニットとの接続が解除されている状態が所定時間を超える場合に録画を停止する等の動作を行うものもある（特許文献２参照）。【０００３】
内視鏡システムの運用においては、内視鏡に故障の疑いがある場合に、内視鏡の故障判断が行われる。内視鏡の故障判断は、故障の疑いがある内視鏡とその内視鏡と共に使用されていた画像処理装置とによって得られる映像を参考にして行われることが多い。
【先行技術文献】
【特許文献】
【０００４】
【特許文献１】特開２０１０−５１３９９号公報
【特許文献２】特開２００２−１７７２１２号公報
【発明の概要】
【発明が解決しようとする課題】
【０００５】
しかしながら、そのようにして内視鏡の故障判断を行うためには、内視鏡システムが運用されている現場から、故障の疑いがある内視鏡とその内視鏡と共に使用されていた画像処理装置とを回収する必要がある。そのため、必然的に、内視鏡の故障判断に要する時間が長くなる、という問題があった。【０００６】
本発明は、上記実情に鑑み、内視鏡の故障判断に要する時間を短縮することができる内視鏡システムを提供することを目的とする。
【課題を解決するための手段】
【０００７】
本発明の第１の態様は、内視鏡を含む内視鏡システムであって、前記内視鏡から取得する第１の情報と、前記内視鏡から取得する第２の情報の記録条件に関する情報との対応関係を含むテーブルが記録される第１の記録媒体と、前記内視鏡から取得した前記第１の情報と前記第１の記録媒体に記録されている前記テーブルとに基づいて、当該第１の情報に対応する記録条件に従って、前記内視鏡から取得する前記第２の情報の記録を制御する制御部と、前記第１の情報及び前記第２の情報が記録される第２の記録媒体と、を備える内視鏡システムを提供する。【０００８】
本発明の第２の態様は、第１の態様において、前記第２の情報は、前記内視鏡により取得される内視鏡動画像を含む、内視鏡システムを提供する。【０００９】
本発明の第３の態様は、第１又は２の態様において、前記第２の情報は、前記内視鏡により取得される当該内視鏡内部の電流値及び温度の一方又は両方に関する情報を含む、内視鏡システムを提供する。
本発明の第４の態様は、第１乃至３の何れか一つの態様において、前記第１の情報は、前記内視鏡の合計稼動時間又は修理回数に関する情報を含む、内視鏡システムを提供する。【００１０】
本発明の第５の態様は、第４の態様において、前記修理回数に関する情報を前記内視鏡から無線により取得する、内視鏡システムを提供する。
本発明の第６の態様は、第１乃至５の何れか１つの態様において、前記第１の記録媒体に記録されている前記テーブルを変更する変更部、を更に備える内視鏡システムを提供する。【００１１】
本発明の第７の態様は、第１乃至６の何れか１つの態様において、前記第１の記録媒体に記録される前記テーブルは、内視鏡の識別情報との対応関係を更に含み、前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に従って、当該内視鏡から取得する前記第２の情報の記録を制御する、内視鏡システムを提供する。【００１２】
本発明の第８の態様は、第７の態様において、前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に関する情報が前記テーブルに含まれている場合に限り、当該識別情報及び当該第１の情報に対応する記録条件に従って、当該内視鏡から取得する前記第２の情報の記録を制御する、内視鏡システムを提供する。【００１３】
本発明の第９の態様は、第８の態様において、前記テーブルに含まれる前記識別情報は、修理回数が所定回数以上の内視鏡の識別情報である、内視鏡システムを提供する。
【発明の効果】
【００１４】
本発明によれば、内視鏡の故障判断に要する時間を短縮することができる。
【図面の簡単な説明】
【００１５】
【図１】第１の実施形態に係る内視鏡システムの構成例を示す図である。
【図２】第１の実施形態に係る記録条件テーブルの一例を示す図である。
【図３】第２の実施形態に係る内視鏡システムの構成例を示す図である。
【図４】第３の実施形態に係る内視鏡システムの構成例を示す図である。
【図５】第４の実施形態に係る内視鏡システムの構成例を示す図である。
【図６】第４の実施形態に係る記録条件テーブルの一例を示す図である。
【発明を実施するための形態】
【００１６】
以下、図面を参照しながら、本発明の実施の形態について説明する。
＜第１の実施形態＞
図１は、本発明の第１の実施形態に係る内視鏡システムの構成例を示す図である。
【００１７】
図１に示したように、本実施形態に係る内視鏡システム１００は、内視鏡１１０及び内視鏡ビデオプロセッサ１２０を含む。
内視鏡１１０は、撮像素子１１１及び不揮発性メモリ１１２を含む。
【００１８】
撮像素子１１１は、例えばＣＣＤ（Charge Coupled Device）イメージセンサやＣＭＯＳ（Complementary Metal Oxide Semiconductor）イメージセンサ等の固体撮像素子であって、被写体を撮像して、撮像信号を出力する。なお、撮像信号は、内視鏡１１０により取得される画像情報でもある。
【００１９】
不揮発性メモリ１１２は、内視鏡１１０の稼動情報やログ情報等が記録される。
不揮発性メモリ１１２に記録される稼動情報は、内視鏡１１０の合計通電時間に関する情報であって、内視鏡１１０に含まれる図示しない、タイマー等を含む通電時間積算部により取得され、常に最新の情報に更新される。なお、内視鏡１１０の合計通電時間は、内視鏡１１０が初めて使用されてから現在までの、内視鏡１１０への通電時間の合計であって、内視鏡１１０の合計稼動時間でもある。
【００２０】
不揮発性メモリ１１２に記録されるログ情報は、内視鏡内部の電流値及び温度に関する情報を含む。不揮発性メモリ１１２に記録される内視鏡内部の電流値に関する情報（以下では「ログＡ情報」ともいう）は、内視鏡１１０に含まれる図示しない過電流検知部により取得され、常に最新の情報に更新される。なお、過電流検知部は、内視鏡内部（例えば撮像素子１１１）での過電流を検知する。また、不揮発性メモリ１１２に記録される内視鏡内部の温度に関する情報（以下では「ログＢ情報」ともいう）は、内視鏡１１０に含まれる図示しないサーミスタ異常検知部により取得され、常に最新の情報に更新される。なお、サーミスタ異常検知部は、内視鏡内部（例えば撮像素子１１１）での温度異常を検知する。
【００２１】
内視鏡ビデオプロセッサ１２０は、動画エンコーダ１２１、ＣＦ（CompactFlash）カード１２２、不揮発性メモリ１２３、及びＣＰＵ（Central Processing Unit）１２４を含む。
【００２２】
動画エンコーダ１２１は、ＣＰＵ１２４の制御の下（ＣＰＵ１２４からの記録制御コマンドに従って）、内視鏡１１０の撮像素子１１１により出力される撮像信号から動画像の圧縮ファイルを生成し、ＣＦカード１２２に記録する。
【００２３】
ＣＦカード１２２は、動画エンコーダ１２１により生成された動画像の圧縮ファイルや、ＣＰＵ１２４により出力される内視鏡１１０の稼動情報及びログ情報等が記録される。なお、ＣＦカード１２２は、内視鏡ビデオプロセッサ１２０に対して着脱自在である。
【００２４】
不揮発性メモリ１２３は、記録条件テーブル等が記録される。記録条件テーブルは、内視鏡の稼動情報と、内視鏡から取得する画像情報及びログ情報の記録条件に関する情報との対応関係を含むテーブルである。なお、記録条件テーブルの内容は、内視鏡ビデオプロセッサ１２０の図示しない入力部を介して、ユーザが任意に変更可能である。記録条件テーブルの詳細については、図２を用いて後述する。
【００２５】
ＣＰＵ１２４は、内視鏡１１０及び内視鏡ビデオプロセッサ１２０の全体動作を制御する。例えば、ＣＰＵ１２４は、内視鏡１１０から取得した稼動情報と不揮発性メモリ１２３に記録されている記録条件テーブルとに基づいて、当該稼動情報に対応する記録条件に従って、内視鏡１１０から取得する画像情報及びログ情報のＣＦカード１２２への記録を制御する。
【００２６】
図２は、記録条件テーブルの一例を示す図である。
図２に示したように、記録条件テーブルは、内視鏡の稼動情報（合計通電時間に関する情報）と、内視鏡から取得する画像情報及びログ情報（ログＡ情報及びログＢ情報）の記録条件に関する情報との対応関係を含むテーブルである。
【００２７】
図２に示した例では、内視鏡の合計通電時間を１００時間未満、１００時間以上５０００時間未満、及び５０００時間以上の３つの範囲に区分し、それぞれに対応して、内視鏡から取得する画像情報、ログＡ情報、及びログＢ情報の記録条件が規定されている。すなわち、合計通電時間が１００時間未満であるときの対応する記録条件は、内視鏡から取得する画像情報を５Ｍｂｐｓ（Megabits per second）の動画像の圧縮ファイルとして記録し、内視鏡から取得するログＡ情報を３００ｓｅｃ（秒）毎に取得及び記録し、内視鏡から取得するログＢ情報を３０ｓｅｃ毎に取得及び記録する、という条件になる。また、合計通電時間が１００時間以上５０００時間未満であるときの対応する記録条件は、内視鏡から取得する画像情報及びログＡ情報の取得及び記録を行わないで、内視鏡から取得するログＢ情報を６０ｓｅｃ毎に取得及び記録する、という条件になる。また、合計通電時間が５０００時間以上であるときの対応する記録条件は、内視鏡から取得する動画像を１０Ｍｂｐｓの動画像の圧縮ファイルとして記録し、内視鏡から取得するログＡ情報を３００ｓｅｃ毎に取得及び記録し、内視鏡から取得するログＢ情報を３０ｓｅｃ毎に取得及び記録する、という条件になる。
【００２８】
なお、本実施形態に係る内視鏡システム１００において、内視鏡ビデオプロセッサ１２０の不揮発性メモリ１２３は、内視鏡から取得する第１の情報と、内視鏡から取得する第２の情報の記録条件に関する情報との対応関係を含むテーブルが記録される第１の記録媒体の一例である。また、内視鏡ビデオプロセッサ１２０のＣＰＵ１２４は、内視鏡から取得した第１の情報と第１の記録媒体に記録されているテーブルとに基づいて、当該第１の情報に対応する記録条件に従って、内視鏡から取得する第２の情報の記録を制御する制御部の一例である。また、ＣＦカード１２２は、第１の情報及び第２の情報が記録される第２の記録媒体の一例である。
【００２９】
以上のような構成を有する本実施形態に係る内視鏡システム１００では、次のような動作が行われる。例えば、内視鏡１１０により得られた画像情報を内視鏡ビデオプロセッサ１２０により処理してＣＦカード１２２に記録したり、図示しないモニターに表示したりする等の動作が行われる。また、例えば、内視鏡１１０に故障の疑いがある場合の、その故障判断に要する時間を短縮するために、所定のタイミング（例えば内視鏡１１０と内視鏡ビデオプロセッサ１２０とが接続された時等）に、次のような動作も行われる。
【００３０】
まず、内視鏡ビデオプロセッサ１２０のＣＰＵ１２４は、内視鏡１１０の不揮発性メモリ１１２から稼動情報を読み出すと共に、不揮発性メモリ１２３から記録条件テーブルを読み出す。
【００３１】
続いて、ＣＰＵ１２４は、読み出した稼動情報及び記録条件テーブルに基づいて、その稼動情報に応じた記録条件に従って、内視鏡１１０から取得する画像情報及びログ情報の記録制御を開始する。より詳しくは、ＣＰＵ１２４は、内視鏡１１０から取得する画像情報から、対応する動画密度（ビットレート）の動画像の圧縮ファイルを生成してＣＦカード１２２に記録するように、動画エンコーダ１２１へ記録制御コマンドを出力する。また、ＣＰＵ１２４は、対応する頻度（周期）で内視鏡からログ情報を取得してＣＦカード１２２に記録する制御を開始する。
【００３２】
例えば、ＣＰＵ１２４は、読み出した合計通電時間（稼動情報）が５０００時間以上であって、読み出した記録条件テーブルが図２に示した記録条件テーブルである場合には、１０Ｍｂｐｓの動画像の圧縮ファイルを生成、記録するように、動画エンコーダ１２１へ記録制御コマンドを出力する。また、ＣＰＵ１２４は、ログＡ情報を３００ｓｅｃ毎に取得及び記録し、ログＢ情報を３０ｓｅｃ毎に取得及び記録する制御を開始する。
【００３３】
また、ＣＰＵ１２４は、最初に内視鏡１１０の不揮発性メモリ１１２から読み出した稼動情報もＣＦカード１２２に記録する。
そして、ＣＰＵ１２４は、所定時間が経過すると、このような制御を終了する。より詳しくは、ＣＰＵ１２４は、動画像の圧縮ファイルの生成及び記録を終了するように、動画エンコーダ１２１へ記録制御コマンドを出力すると共に、ログ情報の取得及び記録の制御を終了する。なお、所定時間は、内視鏡ビデオプロセッサ１２０の図示しない入力部を介して、ユーザが任意に変更可能である。
【００３４】
このような動作により、ＣＦカード１２２には、内視鏡１１０の稼動情報、その稼動情報に対応する動画密度の動画像の圧縮ファイル、及び、その稼動情報に対応する頻度で取得されたログ情報が記録されるようになる。
【００３５】
以上、本実施形態に係る内視鏡システム１００によれば、内視鏡１１０に故障の疑いがある場合には、上述の動作によりＣＦカード１２２に記録された稼動情報、動画像の圧縮ファイル、及びログ情報を参照することにより、内視鏡１１０の故障判断が可能になる。従って、従来のように、内視鏡システム１００が運用されている現場から内視鏡１１０及び内視鏡ビデオプロセッサ１２０を回収する必要がなくなるので、内視鏡１１０の故障判断に要する時間を短縮することができる。また、その結果、内視鏡１１０の修理リードタイムを短縮することもできる。
【００３６】
なお、ＣＦカード１２２に記録された稼動情報、動画像の圧縮ファイル、及びログ情報に基づく内視鏡１１０の故障判断は、例えば、次のようにして行うことができる。
動画像の圧縮ファイルを再生させたときに、表示された画像が異常であり、且つ、合計通電時間（稼動情報）が長期間であった場合には、撮像素子１１１の経路（例えば転送経路等）が故障部位であると判断することができる。ここで、表示された画像が異常とは、ノイズ量の多い画像が表示されたり、単色化された画像が表示されたり、意図しないカラーバーが表示されたりすることである。なお、カラーバーとは、内視鏡１１０と内視鏡ビデオプロセッサ１２０とが接続されていないとき等に表示されるものである。
【００３７】
また、動画像の圧縮ファイルを再生させたときに、表示された画像が異常であり、且つ、電流値に関する情報（ログＡ情報）が異常である場合（異常に高い電流値である場合）には、撮像素子１１１が故障部位であると判断することができる。ここで、表示された画像が異常とは、暗電流ノイズの増加が原因でノイズ量の多い画像が表示されたりすることである。
【００３８】
また、動画像の圧縮ファイルを再生させたときに、表示された画像が異常であり、且つ、温度に関する情報（ログＢ情報）が異常である場合（異常に高い温度である場合）には、内視鏡１１０が備える図示しないサーミスタや曇り防止デバイスが故障部位であると判断することができる。ここで、表示された画像が異常とは、異常に高い温度が原因で画像が曇って表示されたりすることである。
【００３９】
また、本実施形態に係る内視鏡システム１００によれば、記録条件テーブルに含まれる記録条件に関する情報として、内視鏡１１０から取得する画像情報を記録する際の動画密度（ビットレート）を下げたり、内視鏡１１０から取得するログ情報の記録頻度（周期）を短くしたり、内視鏡１１０の合計稼働時間が特定の範囲内であれば画像情報やログ情報を記録しないとする情報を含めることにより、内視鏡ビデオプロセッサ１２０のＣＦカード１２２の記録容量を節約することもできる。
【００４０】
＜第２の実施形態＞
図３は、本発明の第２の実施形態に係る内視鏡システムの構成例を示す図である。
なお、本実施形態に係る内視鏡システムにおいて、第１の実施形態に係る内視鏡システムと同一の構成要素については、同一の符号を付して説明する。
【００４１】
図３に示したように、本実施形態に係る内視鏡システム２００では、内視鏡１１０の不揮発性メモリ１１２に、内視鏡１１０の稼動情報の代わりに内視鏡１１０の修理情報が記録される。あるいは、不揮発性メモリ１１２に、内視鏡１１０の修理情報が更に記録されるようにしてもよい。不揮発性メモリ１１２に記録される内視鏡１１０の修理情報は、内視鏡１１０の修理回数に関する情報であって、内視鏡１１０の修理が行われる毎に更新される。
【００４２】
また、内視鏡ビデオプロセッサ１２０の不揮発性メモリ１２３には、記録条件テーブルとして、内視鏡の修理情報と、内視鏡から取得する画像情報及びログ情報の記録条件に関する情報との対応関係を含むテーブルが記録される。図示はしないが、この記録条件テーブルは、例えば、図２に示した記録条件テーブルと同様に、内視鏡１１０の修理回数を複数の範囲に区分し、それぞれに対応して、内視鏡から取得する画像情報、ログＡ情報、及びログＢ情報の記録条件が規定されるように構成される。なお、記録条件テーブルの内容は、内視鏡ビデオプロセッサ１２０の図示しない入力部を介して、ユーザが任意に変更可能である。
【００４３】
また、ＣＰＵ１２４は、不揮発性メモリ１２３に記録されている記録条件テーブル等に基づく制御として、次のような制御を行う。ＣＰＵ１２４は、内視鏡１１０から取得した修理情報と不揮発性メモリ１２３に記録されている記録条件テーブルとに基づいて、当該修理情報に対応する記録条件に従って、内視鏡１１０から取得する画像情報及びログ情報のＣＦカード１２２への記録を制御する。
【００４４】
他の構成については、第１の実施形態に係る内視鏡システム１００と同様であるので、説明を省略する。
本実施形態に係る内視鏡システム２００では、内視鏡１１０に故障の疑いがある場合の、その故障判断に要する時間を短縮するために、所定のタイミング（例えば内視鏡１１０と内視鏡ビデオプロセッサ１２０とが接続された時等）に、次のような動作が行われる。
【００４５】
まず、内視鏡ビデオプロセッサ１２０のＣＰＵ１２４は、内視鏡１１０の不揮発性メモリ１１２から修理情報を読み出すと共に、不揮発性メモリ１２３から記録条件テーブルを読み出す。
【００４６】
続いて、ＣＰＵ１２４は、読み出した修理情報及び記録条件テーブルに基づいて、その修理情報に応じた記録条件に従って、内視鏡１１０から取得する画像情報及びログ情報の記録制御を開始する。より詳しくは、ＣＰＵ１２４は、内視鏡１１０から取得する画像情報から、対応する動画密度（ビットレート）の動画像の圧縮ファイルを生成してＣＦカード１２２に記録するように、動画エンコーダ１２１へ記録制御コマンドを出力する。また、ＣＰＵ１２４は、対応する頻度（周期）で内視鏡からログ情報を取得してＣＦカード１２２に記録する制御を開始する。
【００４７】
また、ＣＰＵ１２４は、最初に内視鏡１１０の不揮発性メモリ１１２から読み出した修理情報もＣＦカード１２２に記録する。
そして、ＣＰＵ１２４は、所定時間が経過すると、このような制御を終了する。より詳しくは、ＣＰＵ１２４は、動画像の圧縮ファイルの生成及び記録を終了するように、動画エンコーダ１２１へ記録制御コマンドを出力すると共に、ログ情報の取得及び記録の制御を終了する。なお、所定時間は、内視鏡ビデオプロセッサ１２０の図示しない入力部を介して、ユーザが任意に変更可能である。
【００４８】
このような動作により、ＣＦカード１２２には、内視鏡１１０の修理情報、その修理情報に対応する動画密度の動画像の圧縮ファイル、及び、その修理情報に対応する頻度で取得されたログ情報が記録されるようになる。
【００４９】
以上、本実施形態に係る内視鏡システム２００によれば、内視鏡１１０に故障の疑いがある場合には、上述の動作によりＣＦカード１２２に記録された修理情報、動画像の圧縮ファイル、及びログ情報を参照することにより、内視鏡１１０の故障判断が可能になる。従って、第１の実施形態に係る内視鏡システム１００と同様に、内視鏡１１０の故障判断に要する時間を短縮することができる。また、その結果、内視鏡１１０の修理リードタイムを短縮することもできる。
【００５０】
なお、ＣＦカード１２２に記録された修理情報、動画像の圧縮ファイル、及びログ情報に基づく内視鏡１１０の故障判断は、例えば、次のようにして行うことができる。
動画像の圧縮ファイルを再生させたときに、表示された画像が異常であり、且つ、修理回数（修理情報）が多い場合には、以前に故障した部位の再故障と判断することができる。ここで、表示された画像が異常とは、単色化された画像が表示されたり、意図しないカラーバーが表示されたりすることである。
【００５１】
また、本実施形態に係る内視鏡システム２００によれば、記録条件テーブルに含まれる記録条件に関する情報として、内視鏡１１０から取得する画像情報を記録する際の動画密度（ビットレート）を下げたり、内視鏡１１０から取得するログ情報の記録頻度（周期）を短くしたり、内視鏡１１０の修理回数が特定の範囲内であれば画像情報やログ情報を記録しないとする情報を含めることにより、内視鏡ビデオプロセッサ１２０のＣＦカード１２２の記録容量を節約することもできる。
【００５２】
＜第３の実施形態＞
図４は、本発明の第３の実施形態に係る内視鏡システムの構成例を示す図である。
なお、本実施形態に係る内視鏡システムにおいて、第２の実施形態に係る内視鏡システムの構成要素と同一の構成要素については、同一の符号を付して説明する。
【００５３】
図４に示したように、本実施形態に係る内視鏡システム３００では、内視鏡１１０がＲＦＩＤ（radio frequency identifier）タグ１１３を更に含み、そのＲＦＩＤタグ１１３に内視鏡１１０の修理情報が記録される。
【００５４】
また、内視鏡ビデオプロセッサ１２０がＲＦＩＤリーダー１２５を更に含み、そのＲＦＩＤリーダー１２５が、内視鏡１１０のＲＦＩＤタグ１１３に記録されている修理情報を無線により読み出す。
【００５５】
また、内視鏡ビデオプロセッサ１２０の不揮発性メモリ１２３には、記録条件テーブルとして、内視鏡の修理情報と、内視鏡から取得する画像情報の記録条件に関する情報との対応関係を含むテーブルが記録される。図示はしないが、この記録条件テーブルは、例えば、第２の実施形態に係る内視鏡システム２００で使用された記録条件テーブルと同様に、内視鏡１１０の修理回数を複数の範囲に区分し、それぞれに対応して、内視鏡から取得する画像情報の記録条件が規定されるように構成される。なお、記録条件テーブルの内容は、内視鏡ビデオプロセッサ１２０の図示しない入力部を介して、ユーザが任意に変更可能である。
【００５６】
また、ＣＰＵ１２４は、不揮発性メモリ１２３に記録されている記録条件テーブル等に基づく制御として、次のような制御を行う。ＣＰＵ１２４は、ＲＦＩＤリーダー１２５により読み出された修理情報と不揮発性メモリ１２３に記録されている記録条件テーブルとに基づいて、当該修理情報に対応する記録条件に従って、内視鏡１１０から取得する画像情報のＣＦカード１２２への記録を制御する。
【００５７】
他の構成については、第２の実施形態に係る内視鏡システム２００と同様であるので、説明を省略する。
本実施形態に係る内視鏡システム３００では、内視鏡１１０に故障の疑いがある場合の、その故障判断に要する時間を短縮するために、所定のタイミング（例えば内視鏡１１０と内視鏡ビデオプロセッサ１２０とが接続された時等）に、次のような動作が行われる。
【００５８】
まず、内視鏡ビデオプロセッサ１２０のＲＦＩＤリーダー１２５は、内視鏡１１０のＲＦＩＤタグ１１３から修理情報を読み出す。
続いて、内視鏡ビデオプロセッサ１２０のＣＰＵ１２４は、ＲＦＩＤリーダー１２５により読み出された修理情報と、不揮発性メモリ１２３から読み出した記録条件テーブルとに基づいて、その修理情報に応じた記録条件に従って、内視鏡１１０から取得する画像情報の記録制御を開始する。より詳しくは、ＣＰＵ１２４は、内視鏡１１０から取得する画像情報から、対応する動画密度（ビットレート）の動画像の圧縮ファイルを生成してＣＦカード１２２に記録するように、動画エンコーダ１２１へ記録制御コマンドを出力する。
【００５９】
また、ＣＰＵ１２４は、最初にＲＦＩＤリーダー１２５により読み出された修理情報もＣＦカード１２２に記録する。
そして、ＣＰＵ１２４は、所定時間が経過すると、このような制御を終了する。より詳しくは、ＣＰＵ１２４は、動画像の圧縮ファイルの生成及び記録を終了するように、動画エンコーダ１２１へ記録制御コマンドを出力する。なお、所定時間は、内視鏡ビデオプロセッサ１２０の図示しない入力部を介して、ユーザが任意に変更可能である。
【００６０】
このような動作により、ＣＦカード１２２には、内視鏡１１０の修理情報、及びその修理情報に対応する動画密度の動画像の圧縮ファイルが記録されるようになる。
以上、本実施形態に係る内視鏡システム３００によれば、内視鏡１１０に故障の疑いがある場合には、上述の動作によりＣＦカード１２２に記録された修理情報及び動画像の圧縮ファイルを参照することにより、内視鏡１１０の故障判断が可能になる。従って、第２の実施形態に係る内視鏡システム２００と同様に、内視鏡１１０の故障判断に要する時間を短縮することができる。また、その結果、内視鏡１１０の修理リードタイムを短縮することもできる。
【００６１】
また、本実施形態に係る内視鏡システム３００によれば、記録条件テーブルに含まれる記録条件に関する情報として、内視鏡１１０から取得する画像情報を記録する際の動画密度（ビットレート）を下げたり、内視鏡１１０の修理回数が特定の範囲内であれば画像情報を記録しないとする情報を含めることにより、内視鏡ビデオプロセッサ１２０のＣＦカード１２２の記録容量を節約することもできる。
【００６２】
＜第４の実施形態＞
図５は、本発明の第４の実施形態に係る内視鏡システムの構成例を示す図である。
なお、本実施形態に係る内視鏡システムにおいて、第１の実施形態に係る内視鏡システムと同一の構成要素については、同一の符号を付して説明する。
【００６３】
図５に示したように、本実施形態に係る内視鏡システム４００は、内視鏡ビデオプロセッサ１２０のＣＰＵ１２４と通信ネットワーク４１０を介して接続される内視鏡診断支援システム４２０を更に含む。
【００６４】
通信ネットワーク４１０は、有線ネットワーク及び無線ネットワークの一方又は両方からなる。
内視鏡診断支援システム４２０は、内視鏡のシリアル番号（識別情報の一例）が記録される図示しない記録部を含み、内視鏡の管理等を行う。また、内視鏡診断支援システム４２０は、内視鏡ビデオプロセッサ１２０のＣＰＵ１２４に対し、記録条件テーブルの変更指示要求を行う。
【００６５】
また、本実施形態に係る内視鏡システム４００では、内視鏡１１０の不揮発性メモリ１１２に内視鏡１１０のシリアル番号に関する情報が更に記録される。
また、内視鏡ビデオプロセッサ１２０の不揮発性メモリ１２３には、記録条件テーブルとして、内視鏡のシリアル番号に関する情報と、内視鏡の稼動情報と、内視鏡から取得する画像情報の記録条件に関する情報との対応関係を含むテーブルが記録される。この記録テーブルの詳細については、図６を用いて後述する。
【００６６】
また、ＣＰＵ１２４は、不揮発性メモリ１２３に記録されている記録条件テーブル等に基づく制御として、次のような制御を行う。ＣＰＵ１２４は、内視鏡１１０から取得したシリアル番号及び稼動情報と不揮発性メモリ１２３に記録されている記録条件テーブルとに基づいて、当該シリアル番号及び稼動情報に対応する記録条件に従って、内視鏡１１０から取得する画像情報のＣＦカード１２２への記録を制御する。
【００６７】
また、ＣＰＵ１２４は、内視鏡診断支援システム４２０からの記録条件テーブル変更指示要求に応じて、不揮発性メモリ１２３に記録されている記録条件テーブルの一部又は全部を変更する。
【００６８】
他の構成については、第１の実施形態に係る内視鏡システム１００と同様であるので、説明を省略する。
図６は、本実施形態に係る記録条件テーブルの一例を示す図である。
【００６９】
図６に示したように、本実施形態に係る記録条件テーブルは、内視鏡のシリアル番号と、内視鏡の稼動情報（合計通電時間に関する情報）と、内視鏡から取得する画像情報の記録条件に関する情報との対応関係を含むテーブルである。
【００７０】
図６に示した例では、内視鏡のシリアル番号毎に、内視鏡の稼動情報と、内視鏡から取得する画像情報の記録条件に関する情報との対応関係が規定されている。例えば、内視鏡のシリアル番号が「○○○○○」である場合には、内視鏡の稼動情報に応じて、内視鏡から取得する画像情報を、５Ｍｂｐｓの動画像の圧縮ファイルとして記録するか、記録しないか、又は１０Ｍｂｐｓの動画像の圧縮ファイルとして記録する、という記録条件になる。
【００７１】
本実施形態に係る内視鏡システム４００では、内視鏡診断支援システム４２０からの記録条件テーブル変更指示要求に応じて、内視鏡ビデオプロセッサ１２０のＣＰＵ１２４が、不揮発性メモリ１２３に記録されている記録条件テーブルを変更する、という動作が行われる。
【００７２】
また、本実施形態に係る内視鏡システム４００では、内視鏡１１０に故障の疑いがある場合の、その故障判断に要する時間を短縮するために、所定のタイミング（例えば内視鏡１１０と内視鏡ビデオプロセッサ１２０とが接続された時等）に、次のような動作が行われる。
【００７３】
まず、内視鏡ビデオプロセッサ１２０のＣＰＵ１２４は、内視鏡１１０の不揮発性メモリ１１２からシリアル番号及び稼動情報を読み出すと共に、不揮発性メモリ１２３から記録条件テーブルを読み出す。
【００７４】
続いて、ＣＰＵ１２４は、読み出した記録条件テーブルに、読み出したシリアル番号及び稼動情報に対応する、画像情報の記録条件が存在するか否かを判定する。
ここで、その判定結果がＹｅｓの場合にはＣＰＵ１２４が次のような制御を行い、それがＮｏの場合にはそのような制御を行わない。
【００７５】
すなわち、その判定結果がＹｅｓの場合には、ＣＰＵ１２４が、読み出したシリアル番号及び稼動情報と記録条件テーブルとに基づいて、そのシリアル番号及び稼動情報に応じた記録条件に従って、内視鏡１１０から取得する画像情報の記録制御を開始する。より詳しくは、ＣＰＵ１２４は、内視鏡１１０から取得する画像情報から、対応する動画密度（ビットレート）の動画像の圧縮ファイルを生成してＣＦカード１２２に記録するように、動画エンコーダ１２１へ記録制御コマンドを出力する。
【００７６】
例えば、ＣＰＵ１２４は、読み出したシリアル番号が「○○○○○」であり、読み出した合計通電時間（稼動情報）が５０００時間以上であり、読み出した記録条件テーブルが図６に示した記録条件テーブルである場合には、１０Ｍｂｐｓの動画像の圧縮ファイルを生成、記録するように、動画エンコーダ１２１へ記録制御コマンドを出力する。
【００７７】
また、ＣＰＵ１２４は、最初に内視鏡１１０の不揮発性メモリ１１２から読み出した稼動情報もＣＦカード１２２に記録する。
そして、ＣＰＵ１２４は、所定時間が経過すると、このような制御を終了する。より詳しくは、ＣＰＵ１２４は、動画像の圧縮ファイルの生成及び記録を終了するように、動画エンコーダ１２１へ記録制御コマンドを出力する。なお、所定時間は、内視鏡ビデオプロセッサ１２０の図示しない入力部を介して、ユーザが任意に変更可能である。
【００７８】
このような動作により、シリアル番号及び稼動情報に対応する、画像情報の記録条件が記録条件テーブルに存在する場合に限り、ＣＦカード１２２に、内視鏡１１０の稼動情報、及びシリアル番号及び稼動情報に対応する動画密度の動画像の圧縮ファイルが記録されるようになる。
【００７９】
以上、本実施形態に係る内視鏡システム４００によれば、特定の内視鏡に対してのみ、稼動情報及び動画像の圧縮ファイルの記録を行わせるようにすることができる。例えば、内視鏡診断支援システム４２０からの記録条件変更指示要求により、記録条件テーブルに含まれる内視鏡のシリアル番号に関する情報として、修理回数の多い（修理回数が所定回数以上の）内視鏡のシリアル番号に関する情報のみが含まれるようにしておけば、その修理回数の多い内視鏡に対してのみ、そのような記録を行わせることができる。
【００８０】
従って、内視鏡１１０が特定の内視鏡であって、その内視鏡１１０に故障の疑いがある場合には、上述の動作によりＣＦカード１２２に記録された稼動情報及び動画像の圧縮ファイルを参照することにより、その内視鏡１１０の故障判断が可能になる。従って、従来のように、内視鏡システム４００が運用されている現場から内視鏡１１０及び内視鏡ビデオプロセッサ１２０を回収する必要がなくなるので、内視鏡１１０の故障判断に要する時間を短縮することができる。また、その結果、内視鏡１１０の修理リードタイムを短縮することもできる。
【００８１】
また、本実施形態に係る内視鏡システム４００によれば、記録条件テーブルに含まれる記録条件に関する情報として、内視鏡１１０から取得する画像情報を記録する際の動画密度（ビットレート）を下げたり、内視鏡１１０の合計稼動時間が特定の範囲内であれば画像情報を記録しないとする情報を含めることにより、内視鏡ビデオプロセッサ１２０のＣＦカード１２２の記録容量を節約することもできる。
【００８２】
以上、第１乃至４の実施形態に係る内視鏡システムについて説明したが、各実施形態に係る内視鏡システムにおいては、次のような変形を行うようにしてもよい。
例えば、第１及び２の各実施形態に係る内視鏡システムにおいて、内視鏡ビデオプロセッサ１２０のＣＦカード１２２に記録される内視鏡１１０のログ情報は、内視鏡内部の電流値及び温度に関する情報に限らず、内視鏡内部の、電流値に関する情報、温度に関する情報、及びその他の情報の一つ以上としてもよい。但し、この場合には、対応するログ情報の記録条件が含まれるように記録条件テーブルが構成される。
【００８３】
また、例えば、第１及び２の各実施形態に係る内視鏡システムにおいて、記録条件テーブルからログ情報の記録条件を省き、内視鏡ビデオプロセッサ１２０のＣＰＵ１２４が内視鏡１１０のログ情報の取得及び記録を行わないようにしてもよい。
【００８４】
また、例えば、第３及び４の各実施形態に係る内視鏡システムにおいて、記録条件テーブルにログ情報の記録条件を追加し、内視鏡ビデオプロセッサ１２０のＣＰＵ１２４が内視鏡１１０のログ情報の取得及び記録を更に行うようにしてもよい。
【００８５】
また、例えば、第２及び３の各実施形態に係る内視鏡システムにおいて、内視鏡ビデオプロセッサ１２０のＣＦカード１２２に記録される修理情報は、修理内容に関する情報を更に含むようにしてもよい。
【００８６】
また、例えば、第３の実施形態に係る内視鏡システムにおいて、内視鏡ビデオプロセッサ１２０のＣＦカード１２２に記録される修理情報を内視鏡１１０から無線により取得する手段として、ＲＦＩＤタグ及びＲＦＩＤリーダーを用いた手段以外の無線通信手段を用いるようにしてもよい。
【００８７】
また、例えば、第２の実施形態に係る内視鏡システムにおいて、第３の実施形態に係る内視鏡システムと同様に、内視鏡ビデオプロセッサ１２０のＣＦカード１２２に記録される修理情報を内視鏡１１０から無線により取得するように構成してもよい。
【００８８】
また、例えば、第４の実施形態に係る内視鏡システムにおいて、内視鏡ビデオプロセッサ１２０のＣＰＵ１２４は、不揮発性メモリ１２３に記録されている記録条件テーブルを、内視鏡診断支援システム４２０から送信される変更後の記録条件テーブルに置き換えることにより、記録条件テーブルの変更を行うようにしてもよい。
【００８９】
また、例えば、第４の実施形態に係る内視鏡システムにおいて、記録条件テーブルは、図６に示した例に限らず、１つ又は複数の内視鏡のシリアル番号に対して、内視鏡の稼動情報と、内視鏡から取得する画像情報の記録条件に関する情報との１つの対応関係が規定されるようにしてもよい。
【００９０】
また、その他、例えば、第１乃至４の各実施形態に係る内視鏡システムにおいて、他の１つ以上の実施形態に係る内視鏡システムの構成及び動作を組み合わせるようにしてもよい。
【００９１】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００９２】
１００      内視鏡システム
１１０      内視鏡
１１１      撮像素子
１１２      不揮発性メモリ
１１３      ＲＦＩＤタグ
１２０      内視鏡ビデオプロセッサ
１２１      動画エンコーダ
１２２      ＣＦカード
１２３      不揮発性メモリ
１２４      ＣＰＵ
１２５      ＲＦＩＤリーダー
２００、３００、４００  内視鏡システム
４１０      通信ネットワーク
４２０      内視鏡診断支援システム
【図１】
2016017493.tif 000003
【図２】
2016017493.tif 000004
【図３】
2016017493.tif 000005
【図４】
2016017493.tif 000006
【図５】
2016017493.tif 000007
【図６】
2016017493.tif 000008
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
内視鏡を含む内視鏡システムであって、
前記内視鏡から取得した前記内視鏡の過去の使用状況に関わる第１の情報と前記内視鏡から取得する第２の情報の記録条件に関わる情報との対応関係を含むテーブルとに基づいて、前記第２の情報の記録を制御する制御部と、
前記制御部と着脱可能に構成され、前記制御部による制御により前記第２の情報が記録される可搬記録媒体と、
を備えることを特徴とする内視鏡システム。
【請求項２】
前記テーブルが記録される第１の記録媒体を更に備え、
前記制御部は、前記第１の記録媒体に記録されている前記テーブルに基づいて、前記可搬記録媒体への前記第１の情報及び前記第２の情報の記録を制御することを特徴とする請求項１記載の内視鏡システム。
【請求項３】
前記第２の情報は、前記内視鏡の所定のパラメータのログ情報を含む、
ことを特徴とする請求項１記載の内視鏡システム。
【請求項４】
前記第２の情報は、前記内視鏡により取得される内視鏡動画像を含む、
ことを特徴とする請求項１記載の内視鏡システム。
【請求項５】
前記第２の情報は、前記内視鏡により取得される当該内視鏡内部の電流値及び温度の一方又は両方に関する情報を含む、
ことを特徴とする請求項１記載の内視鏡システム。
【請求項６】
前記第１の情報は、前記内視鏡の合計稼動時間又は修理回数に関する情報を含む、
ことを特徴とする請求項１記載の内視鏡システム。
【請求項７】
前記修理回数に関する情報を前記内視鏡から無線通信により取得する、
ことを特徴とする請求項６記載の内視鏡システム。
【請求項８】
前記第１の記録媒体に記録されている前記テーブルに書き込まれる情報を変更する入力部、
を更に備えることを特徴とする請求項１記載の内視鏡システム。
【請求項９】
前記第１の記録媒体に記録される前記テーブルは、前記第１の情報と前記内視鏡の識別情報との対応関係を更に含み、
前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に従って、当該内視鏡から取得する前記第２の情報の記録を制御する、
ことを特徴とする請求項１記載の内視鏡システム。
【請求項１０】
前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に関する情報が前記テーブルに含まれている場合に限り、当該識別情報及び当該第１の情報に対応する記録条件に従って、当該内視鏡から取得する前記第２の情報の記録を制御する、
ことを特徴とする請求項９記載の内視鏡システム。
【請求項１１】
前記テーブルに含まれる前記識別情報は、修理回数が所定回数以上の内視鏡の識別情報である、
ことを特徴とする請求項１０記載の内視鏡システム。
【手続補正２】
【補正対象書類名】明細書
【補正対象項目名】０００７
【補正方法】変更
【補正の内容】
【０００７】
本発明の第１の態様は、内視鏡を含む内視鏡システムであって、前記内視鏡から取得した前記内視鏡の過去の使用状況に関わる第１の情報と前記内視鏡から取得する第２の情報の記録条件に関わる情報との対応関係を含むテーブルとに基づいて、前記第２の情報の記録を制御する制御部と、前記制御部と着脱可能に構成され、前記制御部による制御により前記第２の情報が記録される可搬記録媒体と、を備える内視鏡システムを提供する。
本発明の第２の態様は、第１の態様において、前記テーブルが記録される第１の記録媒体を更に備え、前記制御部は、前記第１の記録媒体に記録されている前記テーブルに基づいて、前記可搬記録媒体への前記第１の情報及び前記第２の情報の記録を制御する、内視鏡システムを提供する。
本発明の第３の態様は、第１の態様において、前記第２の情報は、前記内視鏡の所定のパラメータのログ情報を含む、内視鏡システムを提供する。
【手続補正３】
【補正対象書類名】明細書
【補正対象項目名】０００８
【補正方法】変更
【補正の内容】
【０００８】
本発明の第４の態様は、第１の態様において、前記第２の情報は、前記内視鏡により取得される内視鏡動画像を含む、内視鏡システムを提供する。
【手続補正４】
【補正対象書類名】明細書
【補正対象項目名】０００９
【補正方法】変更
【補正の内容】
【０００９】
本発明の第５の態様は、第１の態様において、前記第２の情報は、前記内視鏡により取得される当該内視鏡内部の電流値及び温度の一方又は両方に関する情報を含む、内視鏡システムを提供する。
本発明の第６の態様は、第１の態様において、前記第１の情報は、前記内視鏡の合計稼動時間又は修理回数に関する情報を含む、内視鏡システムを提供する。
【手続補正５】
【補正対象書類名】明細書
【補正対象項目名】００１０
【補正方法】変更
【補正の内容】
【００１０】
本発明の第７の態様は、第６の態様において、前記修理回数に関する情報を前記内視鏡から無線通信により取得する、内視鏡システムを提供する。
本発明の第８の態様は、第１の何れか１つの態様において、前記第１の記録媒体に記録されている前記テーブルに書き込まれる情報を変更する入力部、を更に備える内視鏡システムを提供する。
【手続補正６】
【補正対象書類名】明細書
【補正対象項目名】００１１
【補正方法】変更
【補正の内容】
【００１１】
本発明の第９の態様は、第１の態様において、前記第１の記録媒体に記録される前記テーブルは、前記第１の情報と前記内視鏡の識別情報との対応関係を更に含み、前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に従って、当該内視鏡から取得する前記第２の情報の記録を制御する、内視鏡システムを提供する。
【手続補正７】
【補正対象書類名】明細書
【補正対象項目名】００１２
【補正方法】変更
【補正の内容】
【００１２】
本発明の第１０の態様は、第９の態様において、前記制御部は、当該内視鏡システムに含まれる前記内視鏡から取得した識別情報及び前記第１の情報と前記第１の記録媒体に記録されている前記テーブルとに基づいて、当該識別情報及び当該第１の情報に対応する記録条件に関する情報が前記テーブルに含まれている場合に限り、当該識別情報及び当該第１の情報に対応する記録条件に従って、当該内視鏡から取得する前記第２の情報の記録を制御する、内視鏡システムを提供する。
【手続補正８】
【補正対象書類名】明細書
【補正対象項目名】００１３
【補正方法】変更
【補正の内容】
【００１３】
本発明の第１１の態様は、第１０の態様において、前記テーブルに含まれる前記識別情報は、修理回数が所定回数以上の内視鏡の識別情報である、内視鏡システムを提供する。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
被検体内部の画像情報を取得する内視鏡と、
前記内視鏡から取得される前記画像情報が書き込まれる第１の記録媒体と、
前記内視鏡から取得される前記画像情報を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、
前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報を前記第１の記録媒体へ記録する制御部と、
を備えることを特徴とする内視鏡システム。
【請求項２】
前記第１の記録媒体は、前記制御部と着脱可能に構成される可搬記録媒体であることを特徴とする請求項１記載の内視鏡システム。
【請求項３】
前記第１の記録媒体には、前記内視鏡から取得される前記画像情報に加え、前記内視鏡から取得される所定のパラメータのログ情報が含まれることを特徴とする請求項１記載の内視鏡システム。
【請求項４】
前記所定のパラメータのログ情報は、前記内視鏡により取得される当該内視鏡内部の電流値及び温度の一方又は両方に関する情報を含む、
ことを特徴とする請求項３記載の内視鏡システム。
【請求項５】
前記制御部は、前記内視鏡から取得した稼動時間が第１の稼働時間未満である場合、所定の圧縮率で前記画像情報を前記第１の記録媒体へ記録し、前記内視鏡から取得した稼働時間が前記第１の稼働時間より大きい第２の稼働時間以上である場合、前記所定の圧縮率より高い圧縮率で前記画像情報を前記第１の記録媒体へ記録することを特徴とする請求項１記載の内視鏡システム。
【請求項６】
前記制御部は、前記内視鏡から取得した稼働時間が前記第１の稼働時間以上かつ前記第２の稼働時間未満である場合、前記画像情報を前記第１の記録媒体へ記録しないことを特徴とする請求項５記載の内視鏡システム。
【請求項７】
前記第２の記録媒体に記録されている前記テーブルを変更する変更部を更に備えることを特徴とする請求項１記載の内視鏡システム。
【請求項８】
内視鏡と接続可能に構成され、当該内視鏡から被検体内部の画像情報を取得する画像処理装置であって、
前記内視鏡から取得される前記画像情報が記録される第１の記録媒体と、
前記内視鏡から取得される前記画像情報を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、
前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報を前記第１の記録媒体へ記録する制御部と、
を備えることを特徴とする画像処理装置。
【手続補正３】
【補正対象書類名】明細書
【補正対象項目名】０００１
【補正方法】変更
【補正の内容】
【０００１】
本発明は、内視鏡を含む内視鏡システム及び画像処理装置に関する。
【手続補正４】
【補正対象書類名】明細書
【補正対象項目名】０００６
【補正方法】変更
【補正の内容】
【０００６】
本発明は、上記実情に鑑み、内視鏡の故障判断に要する時間を短縮することができる内視鏡システム及び画像処理装置を提供することを目的とする。
【手続補正５】
【補正対象書類名】明細書
【補正対象項目名】０００７
【補正方法】変更
【補正の内容】
【０００７】
本発明の第１の態様は、被検体内部の画像情報を取得する内視鏡と、前記内視鏡から取得される前記画像情報が書き込まれる第１の記録媒体と、前記内視鏡から取得される前記画像情報を前記第１の記録媒体に書き込むための記録条件が予め記録されたテーブルを有する第２の記録媒体であって、前記テーブルは前記内視鏡の稼動時間に対応付けられ、複数の異なる記録条件が記録された前記第２の記録媒体と、前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報を前記第１の記録媒体へ記録する制御部と、を備える内視鏡システムを提供する。
本発明の第２の態様は、第１の態様において、前記第１の記録媒体は、前記制御部と着脱可能に構成される可搬記録媒体である、内視鏡システムを提供する。
本発明の第３の態様は、第１の態様において、前記第１の記録媒体には、前記内視鏡から取得される前記画像情報に加え、前記内視鏡から取得される所定のパラメータのログ情報が含まれる、内視鏡システムを提供する。
【手続補正６】
【補正対象書類名】明細書
【補正対象項目名】０００８
【補正方法】変更
【補正の内容】
【０００８】
本発明の第４の態様は、第３の態様において、前記所定のパラメータのログ情報は、前記内視鏡により取得される当該内視鏡内部の電流値及び温度の一方又は両方に関する情報を含む、内視鏡システムを提供する。
【手続補正７】
【補正対象書類名】明細書
【補正対象項目名】０００９
【補正方法】変更
【補正の内容】
【０００９】
本発明の第５の態様は、第１の態様において、前記制御部は、前記内視鏡から取得した稼動時間が第１の稼働時間未満である場合、所定の圧縮率で前記画像情報を前記第１の記録媒体へ記録し、前記内視鏡から取得した稼働時間が前記第１の稼働時間より大きい第２の稼働時間以上である場合、前記所定の圧縮率より高い圧縮率で前記画像情報を前記第１の記録媒体へ記録する、内視鏡システムを提供する。
本発明の第６の態様は、第５の態様において、前記制御部は、前記内視鏡から取得した稼働時間が前記第１の稼働時間以上かつ前記第２の稼働時間未満である場合、前記画像情報を前記第１の記録媒体へ記録しない、内視鏡システムを提供する。
【手続補正８】
【補正対象書類名】明細書
【補正対象項目名】００１０
【補正方法】変更
【補正の内容】
【００１０】
本発明の第７の態様は、第１の態様において、前記第２の記録媒体に記録されている前記テーブルを変更する変更部を更に備える、内視鏡システムを提供する。
本発明の第８の態様は、内視鏡と接続可能に構成され、当該内視鏡から被検体内部の画像情報を取得する画像処理装置であって、前記内視鏡から取得される前記画像情報が記録される第１の記録媒体と、前記内視鏡から取得される前記画像情報を前記第１の記録媒体に書き込むための記録条件が予め記録されたテーブルを有する第２の記録媒体であって、前記テーブルは前記内視鏡の稼動時間に対応付けられ、複数の異なる記録条件が記録された前記第２の記録媒体と、前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報を前記第１の記録媒体へ記録する制御部と、を備える画像処理装置を提供する。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
被検体内部の画像情報を取得する内視鏡と、
前記内視鏡から取得される前記画像情報及び前記内視鏡の稼働時間が書き込まれる第１の記録媒体と、
前記内視鏡から取得される前記画像情報及び前記内視鏡の稼働時間を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、
前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報及び前記内視鏡の稼動時間を前記第１の記録媒体へ記録する制御部と、
を備えることを特徴とする内視鏡システム。
【請求項２】
前記第１の記録媒体は、前記制御部と着脱可能に構成される可搬記録媒体であることを特徴とする請求項１記載の内視鏡システム。
【請求項３】
前記第１の記録媒体には、前記内視鏡の過去の使用状況に関わる情報として前記内視鏡から取得される所定のパラメータのログ情報が書き込まれることを特徴とする請求項１記載の内視鏡システム。
【請求項４】
前記所定のパラメータのログ情報は、前記内視鏡により取得される当該内視鏡内部の電流値及び温度の一方又は両方に関する情報を含む、
ことを特徴とする請求項３記載の内視鏡システム。
【請求項５】
前記制御部は、前記内視鏡から取得した稼動時間が第１の稼働時間未満である場合、所定の動画密度で前記画像情報を前記第１の記録媒体へ記録し、前記内視鏡から取得した稼働時間が前記第１の稼働時間より大きい第２の稼働時間以上である場合、前記所定の動画密度より高い動画密度で前記画像情報を前記第１の記録媒体へ記録することを特徴とする請求項１記載の内視鏡システム。
【請求項６】
前記制御部は、前記内視鏡から取得した稼働時間が前記第１の稼働時間以上かつ前記第２の稼働時間未満である場合、前記画像情報を前記第１の記録媒体へ記録しないことを特徴とする請求項５記載の内視鏡システム。
【請求項７】
前記第２の記録媒体に記録されている前記テーブルを変更する変更部を更に備えることを特徴とする請求項１記載の内視鏡システム。
【請求項８】
内視鏡と接続可能に構成され、当該内視鏡から被検体内部の画像情報を取得する画像処理装置であって、
前記内視鏡から取得される前記画像情報及び前記内視鏡の稼働時間が記録される第１の記録媒体と、
前記内視鏡から取得される前記画像情報及び前記内視鏡の稼働時間を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、
前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報及び前記内視鏡の稼動時間を前記第１の記録媒体へ記録する制御部と、
を備えることを特徴とする画像処理装置。
【手続補正２】
【補正対象書類名】明細書
【補正対象項目名】０００７
【補正方法】変更
【補正の内容】
【０００７】
本発明の第１の態様は、被検体内部の画像情報を取得する内視鏡と、前記内視鏡から取得される前記画像情報及び前記内視鏡の稼働時間が書き込まれる第１の記録媒体と、前記内視鏡から取得される前記画像情報及び前記内視鏡の稼働時間を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報及び前記内視鏡の稼動時間を前記第１の記録媒体へ記録する制御部と、を備える内視鏡システムを提供する。
本発明の第２の態様は、第１の態様において、前記第１の記録媒体は、前記制御部と着脱可能に構成される可搬記録媒体である、内視鏡システムを提供する。
本発明の第３の態様は、第１の態様において、前記第１の記録媒体には、前記内視鏡の過去の使用状況に関わる情報として前記内視鏡から取得される所定のパラメータのログ情報が書き込まれる、内視鏡システムを提供する。
【手続補正３】
【補正対象書類名】明細書
【補正対象項目名】０００９
【補正方法】変更
【補正の内容】
【０００９】
本発明の第５の態様は、第１の態様において、前記制御部は、前記内視鏡から取得した稼動時間が第１の稼働時間未満である場合、所定の動画密度で前記画像情報を前記第１の記録媒体へ記録し、前記内視鏡から取得した稼働時間が前記第１の稼働時間より大きい第２の稼働時間以上である場合、前記所定の動画密度より高い動画密度で前記画像情報を前記第１の記録媒体へ記録する、内視鏡システムを提供する。
本発明の第６の態様は、第５の態様において、前記制御部は、前記内視鏡から取得した稼働時間が前記第１の稼働時間以上かつ前記第２の稼働時間未満である場合、前記画像情報を前記第１の記録媒体へ記録しない、内視鏡システムを提供する。
【手続補正４】
【補正対象書類名】明細書
【補正対象項目名】００１０
【補正方法】変更
【補正の内容】
【００１０】
本発明の第７の態様は、第１の態様において、前記第２の記録媒体に記録されている前記テーブルを変更する変更部を更に備える、内視鏡システムを提供する。
本発明の第８の態様は、内視鏡と接続可能に構成され、当該内視鏡から被検体内部の画像情報を取得する画像処理装置であって、前記内視鏡から取得される前記画像情報及び前記内視鏡の稼働時間が記録される第１の記録媒体と、前記内視鏡から取得される前記画像情報及び前記内視鏡の稼働時間を前記第１の記録媒体に書き込むための記録条件が予め記録されたテーブルを有する第２の記録媒体であって、前記テーブルは前記内視鏡の稼動時間に対応付けられた複数の異なる記録条件が記録された前記第２の記録媒体と、前記内視鏡から取得した稼働時間に基づいて、前記第２の記録媒体が有する前記テーブルに記録された複数の記録条件のうち、当該稼働時間に対応付けられた記録条件を前記テーブルから取得し、当該記録条件で前記画像情報及び前記内視鏡の稼動時間を前記第１の記録媒体へ記録する制御部と、を備える画像処理装置を提供する。
【国際調査報告】
2016017493.tif 000009
2016017493.tif 000010
2016017493.tif 000011
2016017493.tif 000012